(57)【要約】【課題】結合および結合解除操作が簡単で、且つ高い精度でカメラボディに光学ユニットを装着することのきる、光学ユニット、カメラボディ、光学ユニットとカメラボディの締結結合構造およびカメラを提供する。【解決手段】カメラボディ１０にレンズ鏡筒２０を着脱可能に結合するマウント機構３０は、カメラボディ１０に設けられたボディマウント部４０における位置決め孔４３，４４に、レンズ鏡筒２０に設けられたレンズマウント部５０における係合ピン５４，５４が嵌合し、レンズ鏡筒２０がカメラボディ１０に対して、上下左右方向に位置規定されて結合されるように構成されている。【選択図】図１
2010250149.tif 000002
【特許請求の範囲】
【請求項１】
カメラボディに設けられたボディ側マウントに対して着脱可能なユニット側マウントを備えた光学ユニットであって、
前記ユニット側マウントは、
前記ボディ側マウントが前記ユニット側マウントに対向配置された状態において、互いに異なる複数の箇所から、前記光学ユニットの光軸と略平行な方向に沿って、該ボディ側マウントに向けて突出するように配置された複数の突出部材を有し、
前記複数の突出部材は、前記ボディ側マウントから脱落すること防止する脱落防止構造を有していることを特徴とする光学ユニット。
【請求項２】
請求項１に記載の光学ユニットであって、
前記ユニット側マウントは更に、
前記ボディ側マウントと接触することにより、前記光学ユニットの光軸と略平行な方向における、前記光学ユニットの前記ボディ側マウントに対する位置決めを行う基準面部を有することを特徴とする光学ユニット。
【請求項３】
請求項１または２に記載の光学ユニットであって、
前記複数の突出部材は、前記光軸と略平行な方向に対して垂直な面内において、前記光学ユニットの前記ボディ側マウントに対する位置を規定することを特徴とする光学ユニット。
【請求項４】
請求項２に記載の光学ユニットであって、
前記ボディ側マウントに前記ユニット側マウントを締結結合する際には、前記複数の突出部材は、前記基準面部よりも先に前記ボディ側マウントに嵌合するように構成されていることを特徴とする光学ユニット。
【請求項５】
請求項１〜４のいずれか一項に記載の光学ユニットであって、
前記複数の突出部材の少なくとも１つは、前記カメラボディとの間で通信を行う通信機能を有することを特徴とする光学ユニット。
【請求項６】
請求項１〜５のいずれか一項に記載の光学ユニットであって、
前記複数の突出部材の少なくとも１つは、前記カメラボディから給電を受ける電源供給用接点の機能を有することを特徴とする光学ユニット。
【請求項７】
光学ユニットに設けられたユニット側マウントを着脱可能なボディ側マウントを備えたカメラボディであって、
前記ボディ側マウントは、
前記ボディ側マウントが前記ユニット側マウントに対向配置された状態において、前記光学ユニットの光軸と略平行な方向に沿って該ボディ側マウントに向けて突出するように配置された複数の突出部材とそれぞれ嵌合可能な複数の嵌合部と、
前記嵌合部に嵌合している前記突出部材それぞれを、前記光軸と平行な方向に移動不能に係止する複数の係止部材と、を有していることを特徴とするカメラボディ。
【請求項８】
請求項７に記載のカメラボディであって、
前記嵌合部の少なくとも１つは、前記突出部材の、前記光軸とほぼ平行な方向に垂直な面内における移動を許容する長穴形状であることを特徴とするカメラボディ。
【請求項９】
請求項７または８に記載のカメラボディであって、
前記ボディ側マウントは更に、
前記ユニット側マウントの接触することにより、前記光軸と略平行な方向における、前記光学ユニットの前記ボディ側マウントに対する位置を規定するボディ側基準面部を備え、該ボディ側基準面は、連続しない複数の部分基準面部によって形成されていることを特徴とするカメラボディ。
【請求項１０】
請求項９に記載のカメラボディであって、
前記部分基準面部は、前記光軸回りの略同一円周上の３カ所に配設されていること、を特徴とするカメラボディ。
【請求項１１】
請求項７〜１０のいずれか一項に記載のカメラボディであって、
前記複数の突出部材の少なくとも１つを介して、前記光学ユニットとの間で通信を行う通信部を有することを特徴とするカメラボディ。
【請求項１２】
請求項１〜５のいずれか一項に記載のカメラボディであって、
前記複数の突出部材の少なくとも１つを介して、前記光学ユニットに対して給電を行う電源供給端子を有することを特徴とするカメラボディ。
【請求項１３】
光学ユニットとカメラボディとを着脱可能に締結結合する締結結合構造であって、
前記光学ユニットまたは前記カメラボディの一方は、前記光学ユニットの光軸と略平行な方向に沿って突出する複数の突出部材を有し、
前記光学ユニットまたは前記カメラボディの他方は、前記複数の突出部材とそれぞれ嵌合可能な複数の嵌合部と、前記嵌合部に嵌合している前記突出部材それぞれを前記光軸と平行な方向に移動不能に係止する係止部材と、を有すること、
を特徴とする締結結合構造。
【請求項１４】
請求項１３に記載の締結結合構造であって、
前記複数の突出部材は、前記光軸と直交する方向における前記光学ユニットと前記カメラボディの位置を規定することを特徴とする締結結合構造。
【請求項１５】
請求項１３または１４に記載の締結結合構造であって、
前記嵌合部の少なくとも１つは、前記突出部材の、前記光軸と直交する方向における移動を許容する長穴形状であることを特徴とする締結結合構造。
【請求項１６】
請求項１３〜１５のいずれか一項に記載の締結結合構造であって、
前記光学ユニットと前記カメラボディとは、接触することで前記光軸と平行な方向における位置決めを行う基準面部をそれぞれ有し、
少なくとも一方の前記基準面部は、連続しない複数の部分基準面部によって形成されていることを特徴とする締結結合構造。
【請求項１７】
請求項１６に記載の締結結合構造であって、
前記部分基準面部は、前記光軸回りの略同一円周上の３カ所に配設されていることを特徴とする締結結合構造。
【請求項１８】
請求項１３〜１７のいずれか一項に記載の締結結合構造であって、
前記複数の突出部材の少なくとも１つは、前記カメラボディと前記光学ユニットとの間で通信を行う通信機能を有することを特徴とする締結結合構造。
【請求項１９】
請求項１３〜１８のいずれか一項に記載の締結結合構造であって、
前記複数の突出部材の少なくとも１つは、前記カメラボディから前記光学ユニットに給電する電源供給用接点の機能を有することを特徴とする締結結合構造。
【請求項２０】
請求項１３〜１９のいずれか１項に記載の締結結合構造を備えるカメラ。
【発明の詳細な説明】
【技術分野】
【０００１】
本発明は、光学ユニット、カメラボディ、光学ユニットとカメラボディとを着脱可能に締結結合する締結結合構造およびカメラに関する。
【背景技術】
【０００２】
カメラボディにレンズ鏡筒等の光学ユニットを着脱可能に構成されたカメラにおいて、カメラボディに光学ユニットを着脱可能に結合する構成として、いわゆるバヨネットマウントと呼ばれる結合構造が一般的に用いられている。
【０００３】
バヨネットマウントは、カメラボディと光学ユニットとに、それぞれ複数の所定角度範囲の係合爪を有するマウント部材（ボディマウント，レンズマウント）を備える。そして、両マウント部材の係合爪が干渉しない位置からカメラボディと光学ユニットとを相対回転させることで、両者の係合爪を光学ユニットの光軸方向に係合させて、カメラボディに対して光学ユニットを脱落不能に結合するように構成される。
【０００４】
このようなバヨネットマウントは、高い精度でカメラボディと光学ユニットとを結合できる。しかし、光学ユニットをカメラボディに対して所定位置に位置させた後、カメラボディに対して所定方向に回転させなければならず、装着操作が面倒なものであった。
【０００５】
また、バヨネットマウント以外に、カメラボディに光学ユニットを着脱可能に結合する方式として、特許文献１に開示のごとき構成も提案されている。
特許文献１に開示の構成は、カメラマウントとレンズ鏡筒マウントとは撮影枠形状に対応した略矩形形状とし、カメラボディ側にレンズ鏡筒本体を保持、及び取り外す際のロック・リリース装置を設けたものである。また、マウントの対角位置の上部コーナー部と下部コーナー部での面取りの大きさを異ならせ、レンズ鏡筒の取り付け位置としては正位置の一方向でしか取り付けることができないように構成されている。
【先行技術文献】
【特許文献】
【０００６】
【特許文献１】特開２００２−３４１４２３号公報
【発明の概要】
【発明が解決しようとする課題】
【０００７】
しかしながら、上記特許文献１に開示の構成では、カメラボディにレンズ鏡筒を高い精度で装着するためには、カメラボディとレンズ鏡筒との嵌合部位を高い精度に構成しなければならず、高い結合精度を得ることは難しい。
【０００８】
本発明の課題は、結合および結合解除操作が簡単で、且つ高い精度でカメラボディとレンズ鏡筒等の光学ユニットとを結合することのできる、光学ユニット、カメラボディ、光学ユニットとカメラボディの締結結合構造およびカメラを提供することである。
【課題を解決するための手段】
【０００９】
本発明は、以下のような解決手段により前記課題を解決する。なお、理解を容易にするために、本発明の実施形態に対応する符号を付して説明するが、これに限定されるものではない。
【００１０】
請求項１に記載の発明は、カメラボディ（１０）に設けられたボディ側マウント（４０）に対して着脱可能なユニット側マウント（５０）を備えた光学ユニット（２０）であって、ユニット側マウント（５０）は、ボディ側マウント（４０）がユニット側マウント（５０）に対向配置された状態において、互いに異なる複数の箇所から、光学ユニット（２０）の光軸（ＯＡ）と略平行な方向に沿って、ボディ側マウント（４０）に向けて突出するように配置された複数の突出部材（５４）を有し、複数の突出部材（５４）は、ボディ側マウント（４０）から脱落すること防止する脱落防止構造（５４Ｃ）を有していることを特徴とする光学ユニット（２０）である。
請求項２に記載の発明は、請求項１に記載の光学ユニット（２０）であって、ユニット側マウント（５０）は更に、ボディ側マウント（４０）と接触することにより、光学ユニット（２０）の光軸（ＯＡ）と略平行な方向における、光学ユニット（２０）のボディ側マウント（４０）に対する位置決めを行う基準面部（５２）を有することを特徴とする光学ユニット（２０）である。
請求項３に記載の発明は、請求項１または２に記載の光学ユニット（２０）であって、複数の突出部材（５４）は、光軸（ＯＡ）と略平行な方向に対して垂直な面内において、光学ユニット（２０）のボディ側マウント（４０）に対する位置を規定することを特徴とする光学ユニット（２０）である。
請求項４に記載の発明は、請求項２に記載の光学ユニット（２０）であって、ボディ側マウント（４０）にユニット側マウント（５０）を締結結合する際には、複数の突出部材（５４）は、基準面部（５２）よりも先にボディ側マウント（４０）に嵌合するように構成されていることを特徴とする光学ユニット（２０）である。
請求項５に記載の発明は、請求項１〜４のいずれか一項に記載の光学ユニット（２０）であって、複数の突出部材（５４）の少なくとも１つは、カメラボディ（１０）との間で通信を行う通信機能を有することを特徴とする光学ユニット（２０）である。
請求項６に記載の発明は、請求項１〜５のいずれか一項に記載の光学ユニット（２０）であって、複数の突出部材（５４）の少なくとも１つは、カメラボディ（１０）から給電を受ける電源供給用接点（５６）の機能を有することを特徴とする光学ユニット（２０）である。
請求項７に記載の発明は、光学ユニット（２０）に設けられたユニット側マウント（５０）を着脱可能なボディ側マウント（４０）を備えたカメラボディ（１０）であって、ボディ側マウント（４０）は、ボディ側マウント（４０）がユニット側マウント（５０）に対向配置された状態において、光学ユニット（２０）の光軸（ＯＡ）と略平行な方向に沿ってボディ側マウント（４０）に向けて突出するように配置された複数の突出部材（５４）とそれぞれ嵌合可能な複数の嵌合部（４３，４４）と、嵌合部（４３，４４）に嵌合している突出部材（５４）それぞれを、光軸（ＯＡ）と平行な方向に移動不能に係止する複数の係止部材（６１）と、を有していることを特徴とするカメラボディ（１０）である。
請求項８に記載の発明は、請求項７に記載のカメラボディ（１０）であって、嵌合部（４３，４４）の少なくとも１つは、突出部材（５４）の、光軸（ＯＡ）とほぼ平行な方向に垂直な面内における移動を許容する長穴形状であることを特徴とするカメラボディ（１０）である。
請求項９に記載の発明は、請求項７または８に記載のカメラボディ（１０）であって、ボディ側マウント（４０）は更に、ユニット側マウント（５０）の接触することにより、光軸（ＯＡ）と略平行な方向における、光学ユニット（２０）のボディ側マウント（４０）に対する位置を規定するボディ側基準面部（４２）を備え、ボディ側基準面（４２）は、連続しない複数の部分基準面部（４２）によって形成されていることを特徴とするカメラボディ（１０）である。
請求項１０に記載の発明は、請求項９に記載のカメラボディ（１０）であって、部分基準面部（４２）は、光軸（ＯＡ）回りの略同一円周上の３カ所に配設されていることを特徴とするカメラボディ（１０）である。
請求項１１に記載の発明は、請求項７〜１０のいずれか一項に記載のカメラボディ（１０）であって、複数の突出部材（５４）の少なくとも１つを介して、光学ユニット（２０）との間で通信を行う通信部を有することを特徴とするカメラボディ（１０）である。
請求項１２に記載の発明は、請求項１〜５のいずれか一項に記載のカメラボディ（１０）であって、複数の突出部材（５４）の少なくとも１つを介して、光学ユニット（２０）に対して給電を行う電源供給端子（４６）を有することを特徴とするカメラボディ（１０）である。
請求項１３に記載の発明は、光学ユニット（２０）とカメラボディ（１０）とを着脱可能に締結結合する締結結合構造であって、光学ユニット（２０）またはカメラボディ（１０）の一方は、光学ユニット（２０）の光軸（ＯＡ）と略平行な方向に沿って突出する複数の突出部材（５４）を有し、光学ユニット（２０）またはカメラボディ（１０）の他方は、複数の突出部材（５４）とそれぞれ嵌合可能な複数の嵌合部（４３，４４）と、嵌合部（４３，４４）に嵌合している突出部材（５４）それぞれを光軸（ＯＡ）と平行な方向に移動不能に係止する係止部材（６１）と、を有することを特徴とする締結結合構造である。
請求項１４に記載の発明は、請求項１３に記載の締結結合構造であって、複数の突出部材（５４）は、光軸（ＯＡ）と直交する方向における光学ユニット（２０）とカメラボディ（１０）の位置を規定することを特徴とする締結結合構造である。
請求項１５に記載の発明は、請求項１３または１４に記載の締結結合構造であって、嵌合部（４３，４４）の少なくとも１つは、突出部材（５４）の、光軸（ＯＡ）と直交する方向における移動を許容する長穴形状であることを特徴とする締結結合構造である。
請求項１６に記載の発明は、請求項１３〜１５のいずれか一項に記載の締結結合構造であって、光学ユニット（２０）とカメラボディ（１０）とは、接触することで光軸（ＯＡ）と平行な方向における位置決めを行う基準面部（５２，４２）をそれぞれ有し、少なくとも一方の基準面部（５２，４２）は、連続しない複数の部分基準面部（４２）によって形成されていることを特徴とする締結結合構造である。
請求項１７に記載の発明は、請求項１６に記載の締結結合構造であって、部分基準面部（４２）は、光軸（ＯＡ）回りの略同一円周上の３カ所に配設されていることを特徴とする締結結合構造である。
請求項１８に記載の発明は、請求項１３〜１７のいずれか一項に記載の締結結合構造であって、複数の突出部材（５４）の少なくとも１つは、カメラボディ（１０）と光学ユニット（２０）との間で通信を行う通信機能を有することを特徴とする締結結合構造である。
請求項１９に記載の発明は、請求項１３〜１８のいずれか一項に記載の締結結合構造であって、複数の突出部材（５４）の少なくとも１つは、カメラボディ（１０）から光学ユニット（２０）に給電する電源供給用接点（５６）の機能を有することを特徴とする締結結合構造である。
請求項２０に記載の発明は、請求項１３〜１９のいずれか１項に記載の締結結合構造を備えるカメラ（１）である。
【００１１】
なお、符号を付して説明した構成は、適宜改良してもよく、また、少なくとも一部を他の構成物に代替してもよい。
【発明の効果】
【００１２】
本発明によれば、結合および結合解除操作が簡単で、且つ高い精度でカメラボディとレンズ鏡筒等の光学ユニットとを結合することのできる、光学ユニット、カメラボディ、光学ユニットとカメラボディの締結結合構造およびカメラを提供できる。
【図面の簡単な説明】
【００１３】
【図１】本発明に係る結合構造の一実施形態を適用したカメラをカメラボディとレンズ鏡筒とに分離した状態で示す斜視図である。
【図２】カメラボディにレンズ鏡筒が装着された状態における結合部を示す断面図である。
【図３】ボディマウント部を示すカメラボディの正面図である。
【図４】ボディマウント部を概念的に示す説明図である。
【図５】図２のＡ部拡大図に相当するボディマウント部におけるロック部位を示す図である。
【図６】ボディマウント部における結合解除機構の構成を示す説明図である。
【発明を実施するための形態】
【００１４】
以下、図面等を参照して、本発明の実施形態について説明する。
図１は、本発明に係る結合構造の一実施形態を適用したカメラ１をカメラボディ１０とレンズ鏡筒２０とに分離した状態で示す斜視図である。図２は、カメラボディ１０にレンズ鏡筒２０が装着された状態における結合部（マウント機構３０部位）を示す断面図である。図３は、ボディマウント部４０を示すカメラボディ１０の正面図である。
【００１５】
なお、各図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
さらに、カメラボディ１０の被写体側の面を前面、これと反対側の撮影者側の面を背面と、それぞれ称する。
【００１６】
カメラ１は、レンズ交換式のデジタルカメラであって、カメラボディ１０と、該カメラボディ１０に対して着脱可能なレンズ鏡筒２０とにより構成されている。
カメラボディ１０とレンズ鏡筒２０とは、マウント機構３０によって係脱可能に結合される。すなわち、レンズ鏡筒２０は、マウント機構３０を介してカメラボディ１０に光軸ＯＡを一致させた状態で装着されるようになっている。これにより、撮影対象に応じて焦点距離や機能等の異なる種々のレンズ鏡筒２０をカメラボディ１０に換装して撮影することができる。
【００１７】
マウント機構３０は、後に詳述するが、カメラボディ１０に設けられたボディマウント部４０と、レンズ鏡筒２０に設けられたレンズマウント部５０と、によって構成されている。
【００１８】
レンズ鏡筒２０は、鏡筒筐体２１の内部に、詳細は示さないが、移動操作されることで焦点調整を行う合焦レンズ群を含む複数のレンズ群を備えている。また、レンズ鏡筒２０は、合焦レンズ群を移動操作する駆動手段（合焦モータ）を備えている。そして、装着されたカメラボディ１０からの制御信号によって合焦レンズ群が移動制御され、合焦位置の調整が行われるようになっている。この合焦に関する情報交換および駆動手段への電源供給等は、マウント機構３０を介して行われる。
【００１９】
カメラボディ１０は、詳細は図示しないが、当該カメラボディ１０の基本骨格を構成するカメラ構造体１１に、シャッターボタン１２、撮像素子１３およびファインダ１４等を備えて構成されている。また、カメラ構造体１１の背面側には、表示装置１５を備えている。
カメラ構造体１１の前面には、ボディマウント部４０が形成されている。また、カメラ構造体１１の内部には、撮像素子１３が配設されている。
【００２０】
シャッターボタン１２は、当該カメラ１の全体を統括制御する図示しない制御部に対して撮影操作を指令するスイッチである。シャッターボタン１２は、カメラ構造体１１の上面に配設されている。
撮像素子１３は、被写体光を電気信号に変換するＣＣＤ等によって構成されている。撮像素子１３は、カメラ構造体１１の内部にその受光面が光軸ＯＡと直交するように配設されている。
【００２１】
ファインダ１４は、撮影範囲を視認するために被写体の光学像を形成する光学系である。ファインダ１４は、カメラボディ１０の上部に配設されている。
表示装置１５は、液晶パネル等によって構成され、撮像素子１３によって撮像したスルー画像を表示する。また、表示装置１５は、撮影画像やそのヒストグラムおよび撮影情報などを表示する。
【００２２】
カメラ１は、カメラボディ１０にレンズ鏡筒２０がマウント機構３０を介して装着されて、撮影可能な状態となる。そして、シャッターボタン１２が押圧操作されると、レンズ鏡筒２０によって撮像素子１３に結像された被写体像を、撮像素子１３が電気信号に変換する。撮像素子１３によって光電変換された撮像データは、当該カメラ１の図示しない制御装置によって画像データとして信号処理される。信号処理された画像データは表示装置１５に表示され、また、図示しない記録装置に記録される。これによって、撮影が行われる。
【００２３】
つぎに、前述した図１から図３に加え、図４から図６を参照して、本発明に係る結合構造の一実施形態であるマウント機構３０について詳細に説明する。
図４は、ボディマウント部４０を概念的に示す説明図である。図５は、図２のＡ部拡大図に相当するボディマウント部４０のロック部位を示す図である。図６は、ボディマウント部４０における係合解除機構７０の構成を示す説明図である。
【００２４】
マウント機構３０は、前述したように、カメラボディ１０に設けられたボディマウント部４０と、レンズ鏡筒２０に設けられたレンズマウント部５０とによって構成されている。
【００２５】
レンズマウント部５０は、レンズ鏡筒２０の背面側端部に装着されたガイドリング５１と、ガイドリング５１に突設された一対（２本）の係合ピン５４，５４とによって構成されている。
ガイドリング５１は、外径がレンズ鏡筒２０の鏡筒筐体２１より小径で、所定厚さのリング状に形成されている。ガイドリング５１の内径は、光路を遮ることのないように設定されている。ガイドリング５１は、一方の端面でレンズ鏡筒２０の端部に固定され、他方の端面は所定の平面精度に仕上げられたレンズ側基準面５２となっている。このレンズ側基準面５２は、カメラボディ１０に対するレンズ鏡筒２０の光軸ＯＡ方向の位置を規定する面である。
【００２６】
ガイドリング５１の周面には、装着位置案内溝５３が、一カ所形成されている。
装着位置案内溝５３は、光軸ＯＡ方向に見て半円状の切り欠であって、ガイドリング５１の厚さ方向（光軸ＯＡ方向）全域に亘って形成されている。
また、レンズ側基準面５２には、一対（２本）の係合ピン５４，５４が突設されている。
【００２７】
係合ピン５４は、円柱状の基部５４Ａの先端に先細りの先端嵌入部５４Ｂを備えている。基部５４Ａと先端嵌入部５４Ｂとの間には、軸方向に所定幅の係合溝部５４Ｃが周囲を巡って形成されている。係合溝部５４Ｃの幅は、後述する係合機構６０におけるロックレバー６１の係止アーム６１Ｂが嵌合し得るように設定されている。
また、係合ピン５４は、内部に導線５５が配設され、先端の電気接点５６に接続されている。この電気接点５６は、本実施形態では、カメラボディ１０が備える電源からレンズ鏡筒２０に電力を供給するためのものである。
【００２８】
２本の係合ピン５４，５４は、ガイドリング５１の周面の、同一円周上における、周方向を二等分する位置（すなわち１８０°間隔となる位置）に、配設されている。本実施形態では、レンズ鏡筒２０をカメラボディ１０に装着する姿勢において、２本の係合ピン５４，５４は光軸ＯＡと交差するＹ軸上に光軸ＯＡを挟んで配置されている。前述した装着位置案内溝５３は、これら係合ピン５４，５４に対して周方向に等間隔となる位置（９０°離れた位置）に配設されている。つまり、装着位置案内溝５３は、光軸ＯＡと交差するＸ軸（＋側）上に位置している。
【００２９】
ボディマウント部４０は、レンズマウント部５０のガイドリング５１が遊嵌可能な内径のガイド凹部４１と、係合機構６０とを備えて構成されている。ガイド凹部４１は、カメラ構造体１１の前面側に開放して形成されている。係合機構６０は、カメラ構造体１１の内部に収容されており、外装に覆われて外部からは見えないようになっている。
【００３０】
ガイド凹部４１は、レンズマウント部５０のガイドリング５１が遊嵌可能な内径であって、カメラ構造体１１に開口形成された光路開口１１Ａと同心円状に形成されている。ガイド凹部４１の深さは、ガイドリング５１の厚さより浅く設定されている。
ガイド凹部４１の底面には、３カ所の本体側基準面部４２ａ，４２ｂ，４２ｃと、２カ所の位置決め孔４３，４４とが形成されている。
【００３１】
本体側基準面部４２ａ，４２ｂ，４２ｃは、それぞれ、ガイド凹部４１の底面の略同一円周上に、周方向を略三等分する位置（略１２０°間隔）に配設されている。本実施形態では、Ｘ軸（−側）上に一カ所と、これから時計回りおよび反時計回りにそれぞれ１２０°離間した位置とに配設されている。
【００３２】
本体側基準面部４２ａ，４２ｂ，４２ｃは、それぞれ所定径で背の低い円柱状に形成されている。３カ所の本体側基準面部４２ａ，４２ｂ，４２ｃの外面は、所定の精度で同一面上に形成されている。なお、この本体側基準面部４２ａ，４２ｂ，４２ｃは、カメラ構造体１１に一体形成された部位を機械加工で所定の精度に仕上げても、また、別体として形成したものを装着してもいずれでも良い。本体側基準面部４２ａ，４２ｂ，４２ｃを別体として先端にネジを形成し、そのネジで装着するように構成すれば、螺合量の調整によって高さの調整行うことが可能となる。また、本体側基準面部４２の設置数は３カ所に限るものではない。さらに、本体側基準面部４２の配置も適宜変更可能なものである。
【００３３】
ガイド凹部４１の側周面には、装着位置案内突起４５が内周側に向けて突設されている、装着位置案内突起４５は、レンズマウント部５０のガイドリング５１における装着位置案内溝５３と対応する形状となっている。すなわち、光軸ＯＡ方向に見て装着位置案内溝５３が遊嵌可能な半円状で、ガイド凹部４１の深さ方向（光軸方向）全域に亘って形成されている。
装着位置案内突起４５の位置は、カメラボディ１０を前面側から見て光軸ＯＡの右側、Ｘ軸（＋側）上に設定されている。
【００３４】
２カ所の位置決め孔４３，４４は、光軸ＯＡと交差するＹ軸上に、光軸ＯＡを挟んで上下に配設されている。位置決め孔４３，４４の配設間隔は、レンズマウント部５０における係合ピン５４，５４の配設間隔と対応している。
一方（上側）の位置決め孔４３は、ガイドリング５１の係合ピン５４が所定の位置精度で嵌合し得る、所定の嵌合公差の丸孔に形成されている。
他方（下側）の位置決め孔４３は、ガイドリング５１の係合ピン５４が所定の位置精度で嵌合し得る所定の嵌合公差の丸孔を、ガイド凹部４１の径方向（Ｙ軸方向）に所定量長い長孔とした形状に形成されている。
【００３５】
２カ所の位置決め孔４３，４４と装着位置案内突起４５との位置関係は、レンズマウント部５０におけるガイドリング５１の係合ピン５４，５４と装着位置案内溝５３との位置関係と対応している。これにより、レンズマウント部５０におけるガイドリング５１の装着位置案内溝５３を、ガイド凹部４１の装着位置案内突起４５に一致させた姿勢で、レンズマウント部５０（ガイドリング５１）をガイド凹部４１に嵌入させることで、ガイドリング５１の係合ピン５４，５４が、ボディマウント部４０（ガイド凹部４１）における位置決め孔４３，４４と略一致するようになっている。
なお、２カ所の位置決め孔４３，４４の配置は、この実施形態に限定されるものではなく、適宜変更可能なものである。
【００３６】
２カ所の位置決め孔４３，４４と対応するカメラボディ１０の内部には、当該位置決め孔４３，４４に嵌合した係合ピン５４，５４における先端の電気接点５６に導通可能に接触する電力供給端子４６，４６がそれぞれ配設されている。
【００３７】
係合機構６０は、図４に示すように、上下（Ｙ軸方向）一対のロックレバー６１（６１，６１）と、係合スプリング６２と、係合解除機構７０と、を備えている。
上下のロックレバー６１（６１，６１）は、Ｙ軸を挟んで（Ｙ軸を対称軸として）上下対称に配設されている。
ロックレバー６１は、所定厚さおよび幅の板状で、操作アーム６１Ａの一端に係止アーム６１Ｂが略直角に連続した平面形状Ｌ字状に形成されている。また、操作アーム６１Ａの長手方向略中央には、解除操作突起６１Ｃが係止アーム６１Ｂとは逆側に向けて突設されている。
【００３８】
上下のロックレバー６１，６１は、操作アーム６１Ａを上下方向とした（Ｙ軸と平行とした）姿勢で、互いの操作アーム６１Ａ，６１ＡをＺ軸方向に重合させて配置されている。上下のロックレバー６１，６１は、重合した両操作アーム６１Ａ，６１ＡをＺ軸方向に貫通してカメラ構造体１１に固定された２本のガイドピン６３，６３によって、カメラ構造体１１に装着されている。
【００３９】
２本のガイドピン６３，６３は、Ｙ軸方向に所定の間隔を有して設けられており、それぞれカメラ構造体１１に固定されている。
両操作アーム６１Ａ，６１Ａにおいてガイドピン６３，６３が貫通する貫通孔６１Ｄ，６１Ｄは、Ｙ軸方向に所定の長さの長孔となっている。ガイドピン６３，６３は、この貫通孔６１Ｄ，６１Ｄに摺動移動可能に嵌合している。これにより、両操作アーム６１Ａ，６１Ａ（すなわち、上下のロックレバー６１，６１）は、それぞれ貫通孔６１Ｄ，６１Ｄの許容する範囲で上下方向（Ｙ軸方向）に、相対移動可能として設けられている。
【００４０】
上下のロックレバー６１，６１の係止アーム６１Ｂ，６１Ｂは、各操作アーム６１Ａ，６１Ａから同じ側（図４において左側）に突出している。これにより、上下のロックレバー６１，６１の係止アーム６１Ｂ，６１Ｂは、間に光軸ＯＡを挟んで上下（Ｙ軸方向）に対向して位置している。
【００４１】
両係止アーム６１Ｂ，６１Ｂには、先端近傍の対向する側に、それぞれ係合凹部６１Ｅ，６１Ｅが形成されている。係合凹部６１Ｅ，６１Ｅは、係止アーム６１Ｂ，６１Ｂの縁辺が、レンズマウント部５０の係合ピン５４における係合溝部５４Ｃに係合する略半円形に切り欠かれて形成されている。
両ロックレバー６１，６１における係合凹部６１Ｅ，６１Ｅは、光軸ＯＰと交差するＹ軸上に位置しており、ロックレバー６１，６１の移動によって、Ｙ軸上を移動するようになっている。
【００４２】
係合スプリング６２は、上下のロックレバー６１，６１の係止アーム６１Ｂ，６１Ｂの間に掛け渡されて、Ｙ軸と平行に配置されている。これにより、係合スプリング６２は、その弾性復帰力で上下のロックレバー６１，６１を、両係止アーム６１Ｂ，６１Ｂが近づく方向に付勢している。上下のロックレバー６１，６１は、係合スプリング６２の他に外力が作用しない自由状態では、その可動範囲において係止アーム６１Ｂ，６１Ｂが最も接近する位置となる。上下のロックレバー６１，６１は、係合スプリング６２の付勢力に抗した操作によって、両係止アーム６１Ｂ，６１Ｂが離間する方向に、長孔である貫通孔６１Ｄ，６１Ｄが許容する範囲で相対移動可能となっている。
【００４３】
ここで、ロックレバー６１，６１が自由状態では、両係止アーム６１Ｂ，６１Ｂの係合凹部６１Ｅ，６１Ｅは、ボディマウント部４０における位置決め孔４３，４４に嵌入したレンズマウント部５０における係合ピン５４，５４の係合溝部５４Ｃ，５４Ｃに係合するように設定されている。ロックレバー６１，６１は、この係合凹部６１Ｅ，６１Ｅが係合溝部５４Ｃ，５４Ｃに係合した状態から、係合が解除される位置までＹ軸方向に移動可能となっている。つまり、ロックレバー６１，６１は、係合凹部６１Ｅ，６１Ｅが係合溝部５４Ｃ，５４Ｃに係合する位置と、係合が解除される位置との間を移動可能となっているものである。
【００４４】
上下のロックレバー６１，６１の各操作アーム６１Ａ，６１Ａにそれぞれ突設された解除操作突起６１Ｃ，６１Ｃは、それぞれＸ軸と平行な操作面６１Ｆ，６１Ｆを有している。そして、前述したロックレバー６１，６１の自由状態において、両解除操作突起６１Ｃ，６１Ｃの操作面６１Ｆ，６１Ｆは、Ｙ軸方向（上下方向）に所定間隔を有して対向するようになっている。これにより、操作面６１Ｆ，６１Ｆの間隔を広げるように操作することで、両ロックレバー６１，６１は、両係止アーム６１Ｂ，６１Ｂの間隔が広がる方向に移動操作されるようになっている。
【００４５】
係合解除機構７０は、上下のロックレバー６１，６１における解除操作突起６１Ｃ，６１Ｃの対向部位（操作面６１Ｆ，６１Ｆの間）に配設されている。これは、図１に示すように、カメラボディ１０におけるガイド凹部４１のＸ軸＋側に隣接した位置である。
係合解除機構７０は、図６に示すように、カメラ構造体１１に形成された解除操作部１１Ｂに、操作ボタン７１を備えて構成されている。操作ボタン７１は、カメラボディ１０の前面に、押圧操作可能に露出して設けられている。
【００４６】
操作ボタン７１は、押圧操作される操作頭部７１Ａから、操作軸７１Ｂが所定長さに延設されている。操作軸７１Ｂの先端は、所定角度で先細りの操作テーパー部７１Ｃとなっている。
カメラ構造体１１における解除操作部１１Ｂは、前面側に開放する凹状に形成されている。解除操作部１１Ｂの底部には、操作ボタン７１の操作軸７１Ｂがカメラ構造体１１の内部に嵌挿される挿通孔１１Ｃが形成されている。
【００４７】
操作ボタン７１は、操作軸７１Ｂが挿通孔１１Ｃを貫通し、先端の操作テーパー部７１Ｃの近傍にＥリング等の係止部材７３が嵌め込まれている。これにより、操作ボタン７１は、解除操作部１１Ｂに、Ｚ軸方向に所定量移動可能、且つ、脱落不能に装着されている。
【００４８】
操作ボタン７１の操作頭部７１Ａと解除操作部１１Ｂの底部との間には、復帰スプリング７２が介設されている。この復帰スプリング７２は、その弾性復帰力で操作ボタン７１を前面側に向けて付勢している。操作ボタン７１の操作頭部７１Ａは、解除操作部１１Ｂの内部に位置し、外部から復帰スプリング７２の付勢力に抗して押圧操作されることで、Ｚ軸と平行な方向に移動するようになっている。
【００４９】
ここで、操作軸７１Ｂの先端（操作テーパー部７１Ｃ）は、操作ボタン７１が押圧操作されない自由状態において、上下のロックレバー６１，６１における解除操作突起６１Ｃ，６１Ｃの対向部位の間に位置するように設定されている。この状態では、操作ボタン７１は解除操作突起６１Ｃ，６１Ｃを押圧操作はしていない。そして、この状態から、操作ボタン７１が復帰スプリング７２の付勢力に抗して押圧操作されると、先端の操作テーパー部７１Ｃが、上下のロックレバー６１，６１における解除操作突起６１Ｃ，６１Ｃの対向する操作面６１Ｆ，６１Ｆに当接し、両解除操作突起６１Ｃ，６１Ｃの間隔を押し広げるように操作する。その結果、上下のロックレバー６１，６１は、係止アーム６１Ｂ，６１Ｂが離間する方向に移動操作されるようになっているものである。
【００５０】
つぎに、上記のごとき構成のマウント機構３０を備えるカメラ１における、カメラボディ１０に対するレンズ鏡筒２０の着脱操作と、それに伴うマウント機構３０の作用について説明する。
マウント機構３０を備えるカメラ１では、カメラボディ１０に対してレンズ鏡筒２０を光軸ＯＡ方向に押し付け操作することで、結合が行われる。
すなわち、結合時においては、レンズ鏡筒２０が備えるレンズマウント部５０を、カメラボディ１０におけるボディマウント部４０のガイド凹部４１に合致させて接近させる。
【００５１】
この際、レンズマウント部５０の装着位置案内溝５３と、ボディマウント部４０の装着位置案内突起４５とを合致させることで、レンズマウント部５０のガイドリング５１が、ボディマウント部４０のガイド凹部４１に嵌入可能となる。この、装着位置案内溝５３と装着位置案内突起４５とが合致することによって、カメラボディ１０に対するレンズ鏡筒２０の光軸ＯＡ回り方向における位置（以下「回転姿勢」と称する）が概略規定される。これによりレンズ鏡筒２０の天地方向の誤装着も防がれる。また、ガイドリング５１とガイド凹部４１とが合致（ガイドリング５１がガイド凹部４１に嵌入）することによって、カメラボディ１０に対するレンズ鏡筒２０のＸ軸方向およびＹ軸方向における位置（以下「前後左右位置」と称する）が概略規定される。
この、カメラボディ１０に対してレンズ鏡筒２０の回転姿勢および位置が概略規定された状態では、レンズマウント部５０の２本の係合ピン５４，５４の先端が、それぞれボディマウント部４０の位置決め孔４３，４４と略一致する。
【００５２】
このように、カメラボディ１０に対するレンズ鏡筒２０の回転姿勢および前後左右位置が概略規定された状態で、さらにレンズ鏡筒２０をカメラボディ１０に押し付ける。係合ピン５４，５４は、先細りの先端嵌入部５４Ｂの調芯作用によって、位置決め孔４３，４４にそれぞれ嵌入する。その結果、カメラボディ１０に対するレンズ鏡筒２０の回転姿勢および前後左右位置が高い精度で規定され、レンズ鏡筒２０とカメラボディ１０の光軸ＯＡが高い精度で一致する。
【００５３】
ここで、ボディマウント部４０における、一方（上側）位置決め孔４３は円形で、他方（下側）の位置決め孔４４は、長孔となっている。このため、係合ピン５４，５４のピッチと位置決め孔４３，４４のピッチの誤差を吸収することができ、カメラボディ１０に対してレンズ鏡筒２０を高い精度で装着することができる。
【００５４】
その後、位置決め孔４３，４４に嵌入した係合ピン５４，５４は、先端がボディマウント部４０における係合機構６０の両係止アーム６１Ｂ，６１Ｂ（係合凹部６１Ｅ，６１Ｅ）に当接する。係合ピン５４，５４は、その先細りの先端嵌入部５４Ｂの作用によって、係合機構６０の両係止アーム６１Ｂ，６１Ｂを、係合スプリング６２の付勢力に抗して離間する方向に移動操作する。
【００５５】
そして、レンズマウント部５０におけるガイドリング５１のレンズ側基準面５２が、ボディマウント部４０における本体側基準面部４２…に当接すると、係合ピン５４，５４の係合溝部５４Ｃ，５４Ｃが、ボディマウント部４０における係合機構６０の係止アーム６１Ｂ，６１Ｂ（係合凹部６１Ｅ，６１Ｅ）と対応する。これにより、係合機構６０の両係止アーム６１Ｂ，６１Ｂが、係合スプリング６２の付勢力で近接する方向に移動して、係合凹部６１Ｅ，６１Ｅが係合ピン５４，５４の係合溝部５４Ｃ，５４Ｃに係合する。その結果、カメラボディ１０にレンズ鏡筒２０が脱落不能に結合される。カメラボディ１０に対するレンズ鏡筒２０の光軸ＯＡ方向の位置は、ボディマウント部４０における本体側基準面部４２…に、レンズマウント部５０におけるレンズ側基準面５２が密着することで規定される。
【００５６】
すなわち、カメラボディ１０に対して、回転姿勢、前後左右位置および光軸ＯＡ方向の位置が、それぞれ規定された状態で、レンズ鏡筒２０が装着されるものである。また、この状態では、両係合ピン５４，５４の先端の電気接点５６，５６が、カメラボディ１０の電力供給端子４６，４６にそれぞれ導通可能に接触し、カメラボディ１０とレンズ鏡筒２０とが電気的に接続される。
【００５７】
カメラボディ１０からレンズ鏡筒２０を取り外す際には、カメラボディ１０に設けられた、係合解除機構７０の操作ボタン７１を、復帰スプリング７２の付勢力に抗して押圧操作する。
操作ボタン７１の押圧操作によって、操作ボタン７１の先端の操作テーパー部７１Ｃが、係合機構６０における上下のロックレバー６１，６１の解除操作突起６１Ｃ，６１Ｃの間隔を押し広げるように操作する。その結果、上下のロックレバー６１，６１は、係止アーム６１Ｂ，６１Ｂが離間する方向に移動操作され、係合機構６０の両係止アーム６１Ｂの係合凹部６１Ｅ，６１Ｅが、係合ピン５４，５４の係合溝部から外れる。これによって、ボディマウント部４０の係合機構６０による、レンズマウント部５０の係合ピン５４，５４に対する係合が解除される。
これにより、カメラボディ１０からレンズ鏡筒２０を取り外すことができるものである。
【００５８】
以上、本実施形態によると、以下の効果を有する。
（１）レンズ鏡筒２０をカメラボディ１０に対してレンズマウント部５０における係合ピン５４の軸方向に移動させることのみの操作によって、レンズ鏡筒２０をカメラボディ１０に結合することができる。つまり、回転させる等の他の面倒な操作は必要なく、結合操作を極めて簡単に行うことができる。また、レンズマウント部５０における係合ピン５４，５４が、ボディマウント部４０における位置決め孔４３，４４に嵌合することで、カメラボディ１０に対するレンズ鏡筒２０の上下左右方向（Ｘ軸およびＹ軸方向）の位置決めが行われる。これら係合ピン５４，５４および位置決め孔４３，４４は高い精度に構成することが容易であり、その結果、高い精度でカメラボディ１０にレンズ鏡筒２０を装着することができる。
【００５９】
（２）ボディマウント部４０における係合機構６０は、レンズマウント部５０における係合ピン５４と係合することで、レンズ鏡筒２０をカメラボディ１０に結合する。つまり、位置規定する部材と固定する部材とが兼用されている。このため、構成が簡略化され、省スペースによる小型化およびコスト低減が可能となる。
【００６０】
（３）カメラボディ１０（ボディマウント部４０）におけるレンズ鏡筒２０の光軸ＯＡ方向の位置を規定する基準面が、連続しない複数の本体側基準面部４２によって形成されている。このため、広い基準面で当接する構成に比較して、高い精度での形成が容易となり、製造コストを低減できる。
【００６１】
（４）レンズ鏡筒２０をカメラボディ１０に対して位置決めおよび固定する係合ピン５４に電気接点等を設けてカメラボディ１０とレンズ鏡筒２０の間における通信機能を持たせることにより、構成が簡略化され、接点配置スペースの削減による小型化およびコスト低減が可能となる。また、係合ピン５４に設けられた電気接点は、他の部位に配設された電気接点より早い段階で接続状態となるように設定できる。このため、この電気接点を電源用の接点とすれば、レンズ鏡筒２０をカメラボディ１０に装着する操作の早い段階でレンズ鏡筒２０側の電子デバイスを立ち上げて、迅速に撮影準備を行うことが可能となる。
【００６２】
（変形形態）
以上、説明した実施形態に限定されることなく、以下に示すような種々の変形や変更が可能であり、それらも本発明の範囲内である。
（１）本実施形態では、レンズ鏡筒２０側に係合ピン５４が配設され、カメラボディ１０側に位置決め孔４３，４４が形成されている。しかし、これとは逆に、カメラボディ１０側に係合ピンを設けると共に、レンズ鏡筒２０側に位置決め孔を形成する構成としても良い。
【００６３】
（２）本実施形態では、レンズマウント部５０における係合ピン５４が、カメラボディ１０に対するレンズ鏡筒２０の位置決めと、結合の両方の機能を兼ね備えた構成となっている。しかし、係合ピン５４には位置決めのみの機能を持たせ、カメラボディ１０に対してレンズ鏡筒２０を固定する固定手段は別個に備える構成としても良い。
【００６４】
（３）本実施形態では、カメラボディ１０側（ボディマウント部４０）における基準面を、互いに分断された狭い本体側基準面部４２によって形成した。しかし、レンズマウント部５０側の基準面（レンズ側基準面５２）にもこの構成を適用しても良い。
【００６５】
（４）本実施形態では、本体側基準面部４２は３カ所形成されているが、形成数は３カ所に限定されるものではなく、たとえば４カ所とする等、適宜変更可能なものである。また、その形状も円形に限るものではない。
（５）また、本体側基準面部４２は、係合ピン５４の基部に同心円状に形成しても良い。
【００６６】
（６）本実施形態では、係合機構６０のロックレバー６１，６１がＹ軸方向に平行移動してレンズマウント部５０の係合ピン５４と係合するように構成したものである。しかし、ロックレバー６１，６１の係合移動は平行移動に限るものではなく、たとえば、揺動支点を中心とする揺動によって係合または係合解除するように構成しても良いものである。
【００６７】
（７）本実施形態では、係合ピン５４，５４を、カメラボディ１０側からレンズ鏡筒２０側への電力を供給する端子として利用した。しかし、係合ピン５４，５４の利用は、これに限らず、カメラボディ１０とレンズ鏡筒２０との間で交換される情報通信の一部を担うように構成しても良い。また、その情報伝達構成としては、電気的なものに限らず、光通信を用いる構成としても良いものである。
【００６８】
（８）本実施形態は、カメラボディ１０に対してレンズ鏡筒２０を結合する場合を例示したものである。しかし、カメラボディ１０に着脱可能に結合するものであれば、レンズ鏡筒に限らず、たとえば、テレコンバータ等に適用しても良いものである。
（９）なお、実施形態及び変形形態は、適宜組み合わせて用いることもできるが、詳細な説明は省略する。また、本発明は以上説明した実施形態によって限定されることはない。
【符号の説明】
【００６９】
１：カメラ、１０：カメラボディ、２０：レンズ鏡筒、３０：マウント機構、４０：ボディマウント部、４２：本体側基準面部、４３，４４；位置決め孔、４６：電力供給端子、５０；レンズマウント部、５４：係合ピン、５４Ｃ：係合溝部、６１：ロックレバー、７０：係合解除機構、ＯＡ：光軸
【図１】
2010250149.tif 000003
【図２】
2010250149.tif 000004
【図３】
2010250149.tif 000005
【図４】
2010250149.tif 000006
【図５】
2010250149.tif 000007
【図６】
2010250149.tif 000008